(57)【特許請求の範囲】
【請求項１】
押釦を押圧して所定の動作を行なうようにした押釦装置において、
前記押釦に押圧操作部が形成され、該押圧操作部によってスイッチを押圧して切換えるようになっており、
前記押圧操作部に対してその横方向の両側に位置するように先端部に係止爪を有する弾性片が前記押釦に設けられ、しかも前記押釦の押圧に伴う移動動作の方向に延びる突条を両側の前記弾性片の外側部にそれぞれ設け、
前記突条の下面を受けて案内する水平な案内部と、該案内部の延長上であってこの押釦装置が取付けられるキャビネットの凹部の奥の壁面に形成され前記突条が侵入する切込みとをこの押釦が取付けられる機器の前記キャビネットに設け、前記案内部が前記突条の上面を拘束することなく該突条を操作方向に対して鉛直下方向から支えるようにして摺動自在に受けることを特徴とする押釦装置。
【請求項２】
前記押釦の押圧操作部によって表示装置の電源スイッチを切換えることを特徴とする請求項１に記載の押釦装置。
【請求項３】
表示装置のスクリーン面を囲むように取付けられるベズルの下端面に取付けられていることを特徴とする請求項１に記載の押釦装置。
【発明の詳細な説明】
【０００１】
【発明の属する技術分野】
本発明は押釦装置に係り、とくに押釦を押圧して所定の動作を行なうようにした押釦装置に関する。
【０００２】
【従来の技術】
例えばコンピュータの表示装置はＣＲＴ（陰極線管、ｃａｔｈｏｄｅ  ｒａｙｔｕｂｅ）をキャビネット内に収納したものであって、とくにＣＲＴのスクリーン面上に各種の表示を行なうようにしている。そしてこのような表示装置の起動および停止を制御するために、電源スイッチが設けられている。
【０００３】
図２１は従来のこのような表示装置の電源スイッチを示しており、押釦１を備えている。押釦１は押圧操作部２を備えるとともに、この押圧操作部２がベズルの下端側に設けられている筒状案内部３によって摺動可能に案内されるようになっており、しかも筒状案内部３の前端側に装着されているばね４によって復動方向に摺動付勢されている。押釦１を押圧操作すると、ばね４に抗して筒状案内部３内を押圧操作部２が往動し、回路基板５上の電源スイッチ６が押されて電源が投入され、あるいはまた電源が遮断されるようになっている。
【０００４】
【発明が解決しようとする課題】
このような従来の電源スイッチ６の押釦装置は、とくに押釦１の押圧操作部２を案内する筒状案内部３の長さが短いと、図２２に示すように押釦１が下方に傾くようになる。このような動作を防止するために、筒状案内部３の長さＡを図２１に示すように軸線方向に所定の寸法以上とし、これによって押圧操作部２を含む押釦１の軸線方向の長さＢを大きな値に設定している。このような構造によると、押釦１の軸線方向の長さＢが長くなり、これによって電源スイッチ６の配置に制約を増すことになる。
【０００５】
また従来のこのような押釦装置は、ベズルの筒状案内部３に押釦１の押圧操作部２を嵌合させて押圧操作すると、この押圧操作部２の外周部上の一部分が筒状案内部３の１点に図２３Ａ、Ｂに示すように接触し、この部分に応力が集中して動きが円滑でなくなる問題がある。このような現象を生ずると、押釦１による操作が円滑になされず、またその操作感が悪くなるという問題がある。
【０００６】
本発明はこのような問題点に鑑みてなされたものであって、押釦１の軸線方向の長さあるいは摺動方向の長さが必要以上に長くなることがなく、しかも円滑に操作が行なわれ、これによって操作感覚に優れた押釦装置を提供することを目的とする。
【０００７】
【課題を解決するための手段】
本願の一発明は、押釦を押圧して所定の動作を行なうようにした押釦装置において、
前記押釦に押圧操作部が形成され、該押圧操作部によってスイッチを押圧して切換えるようになっており、
前記押圧操作部に対してその横方向の両側に位置するように先端部に係止爪を有する弾性片が前記押釦に設けられ、しかも前記押釦の押圧に伴う移動動作の方向に延びる突条を両側の前記弾性片の外側部にそれぞれ設け、
前記突条の下面を受けて案内する水平な案内部と、該案内部の延長上であってこの押釦装置が取付けられるキャビネットの凹部の奥の壁面に形成され前記突条が侵入する切込みとをこの押釦が取付けられる機器の前記キャビネットに設け、前記案内部が前記突条の上面を拘束することなく該突条を操作方向に対して鉛直下方向から支えるようにして摺動自在に受けることを特徴とする押釦装置に関するものである。
【０００８】
ここで前記押釦の押圧操作部によって表示装置の電源スイッチを切換えてよい。またこの押釦装置が表示装置のスクリーン面を囲むように取付けられるベズルの下端面に取付けられていてよい。
【０００９】
【作用】
上記の本願の一発明によれば、押釦を押圧すると、この押釦に設けられている突条がキャビネット側の案内部によって案内された状態で移動動作を行なうようになり、これによって押釦による所定の動作が行なわれる。
【００１０】
【発明の実施の形態】
本発明の好ましい実施の形態は、表示装置のフロントキャビネットあるいはベズルの押釦の取付け位置に案内部を設けておくとともに、押釦側には上記案内部によって受けられる突条を形成しておき、このような突条の下側を上記案内部によって案内した状態で押釦の押圧に伴う摺動動作を行なうようにしたものである。従って押釦がベズルの下方あるいは表示装置のスクリーン面に沿って下方に傾き難くなり、従来よりも押釦の押圧方向あるいは軸線方向の寸法を小さくすることが可能になる。
【００１１】
またこのような構造の押釦装置によると、上記押釦側の突条がキャビネット側の案内部によって受けられるために、キャビネット側の嵌合部に対する引掛りやこすれ等の問題が発生せず、このために押釦の動作がスムーズに行なわれるようになり、操作感覚が改善される。
【００１２】
従ってこのような実施の形態によれば、押釦が端面方向あるいは下方に傾き難くなるとともに、押釦の押圧操作の際における押釦の移動操作がスムーズに行なわれ、操作感覚に優れた押釦装置を提供することが可能になる。
【００１３】
【実施例】
図１は本発明の一実施の形態に係る押釦装置を電源スイッチの押釦として備える表示装置を示すものである。この表示装置はその主体部が陰極線管１０から構成されており、このような陰極線管１０をフロントキャビネット１１とリヤキャビネット１２とによって囲むように収納するようにしている。フロントキャビネット１１は合成樹脂、例えばＡＢＳ樹脂の成形体から成り、ベズルを構成しており、その矩形の窓１３に陰極線管１０のスクリーン面１４が臨むようになっている。またこのような表示装置は、その下部にスタンド１５を備え、このスタンド１５によって旋回および上下方向に回動可能になっている。
【００１４】
このような表示装置のベズル１１の下側の部分には押釦３５を備えた押釦装置を保持するための円弧状膨出部２１が形成されており、上記押釦３５を押圧操作することによって、この表示装置を起動したりあるいは停止させたりできるようになっている。すなわち押釦３５によって電源スイッチの投入および遮断が行なわれるようになっている。
【００１５】
次にフロントキャビネットを兼用するベズル１１側の押釦３５の取付け部の構造について図２〜図７により説明すると、上記ベズル１１の下側に設けられている円弧状膨出部２１の前端側の部分は切欠かれて切欠き２２になっており、しかもこの切欠き２２の終端を構成する壁面に円筒状案内部２３が一体に形成されている。このような案内部２３の両側にはそれぞれ図４および図７に示すようにほぼ矩形の係止孔２４が形成されている。また上記切欠き２２の両側の壁部にはそれぞれ案内部２５が形成されている。そして上記案内部２５の延長上であって切欠き２２の終端側の壁面の部分には上記係止孔２４に連通する切込み２６が形成されている。
【００１６】
なおこのような押釦３５の取付け部の奥であってベズル１１の内側には、とくに図１６および図１７に示すように回路基板３０が配されるとともに、この回路基板３０上に電源スイッチ３１がマウントされている。とくに電源スイッチ３１の操作部が上記筒状案内部２３の軸線方向の先端側と対向するようになっている。
【００１７】
次に上記ベズル１１の切欠き２２の部分に取付けられる押釦３５の構造について説明すると、図８〜図１５に示すようにこの押釦３５は、合成樹脂、例えばＡＢＳ樹脂によって一体成形され、その背面側に円筒状をなす押圧操作部３６を備えている。さらにこの押圧操作部３６の両側にはそれぞれ弾性片３７が設けられている。そして弾性片３７の先端側には外側部に突出するように係止爪３８が形成されている。しかも弾性片３７の両側にはそれぞれ突条３９が形成されている。また弾性片３７と押圧操作部３６との間は連結用リブ４０によって互いに連結された構造になっている。
【００１８】
このような押釦３５は図１６および図１７に示すように上記ベズル１１の切欠き２２の部分に前方から取付けられるようになっている。このときに押釦３５の押圧操作部３６が筒状案内部２３内に嵌合され、しかも両側の弾性片３７が係止孔２４内を挿通するとともに、弾性片３７の先端に設けられている係止爪３８が係止孔２４のエッジの部分を乗越えて係止されるようになっている。なおこのような押釦３５が大きく往動された場合には、弾性片３７の側部に設けられている突条３９が係止孔２４と連通する切込み２６内に受入れられるようになっており、これによって押釦３５の押込み方向のストロークが突条３９によって阻害されないようにしている。またこのような押釦３５と筒状案内部２３との間には圧縮コイルばね４５が介装されるようになっている。
【００１９】
ここでとくにこの押釦装置の大きな特徴は、図１８〜図２０に示すように、ベズル１１の切欠き２２の両側の部分にそれぞれ案内部２５が形成されていることである。これらの案内部２５は押釦３５の押圧操作部３６の軸線方向、すなわち押釦３５の往動方向に延びるように形成されており、押釦３５の弾性片３７上に形成されている突条３９を図１９および図２０に示すように受けるようになっていることである。
【００２０】
このような構造の押釦装置において、図１６および図１７に示す押釦３５を指で押して往動させると、この押釦３５の押圧操作部３６が回路基板３０上の電源スイッチ３１を押圧操作して切換え動作を行なうことになる。これによってこの表示装置に対する電源の投入あるいは電源の遮断が行なわれる。
【００２１】
しかもこのような押釦３５の押圧操作の際に、その両側に設けられている弾性片３７の外側部に設けられている突条３９が切欠き２２の両側の案内部２５によって下から受けられるようにして摺動動作を行なうことになる。従ってこのような構造によれば、とくに図１９および図２０から明らかなように、押釦３５が下方に、すなわちベズル１１あるいはスクリーン１４の面に沿って下方に傾くようにすることが防止されるようになる。また押釦３５の弾性片３７の突条３９が下からベズル１１側の案内部２５によって支えられながら摺動動作が行なわれるようになっているために、押釦３５が常に正しい姿勢で往動動作することになる。これによって押圧操作部３５が筒状案内部２３に対して斜めになって円形の開口のエッジの部分に接触して応力が集中したり、あるいはまた動きが円滑でなくなるという不具合が防止される。また押釦３５が円滑に動作されることから、操作感覚に優れた押釦装置を提供できるようになる。
【００２２】
以上本発明を図示の一実施例によって説明したが、本発明は上記実施例によって限定されることなく、本発明の技術的思想の範囲内において各種の変更が可能である。例えば上記実施例はＣＲＴを備える表示装置の電源スイッチの切換えのための押釦装置に関するものであるが、本発明はＣＲＴ以外の液晶表示装置等の他の表示手段を備える表示装置に適用可能である。また本発明は電源スイッチ以外の他の目的のスイッチの切換えのための押釦装置に適用されてよい。
【００２３】
【発明の効果】
本願の主要な発明は、押釦を押圧して所定の動作を行なうようにした押釦装置において、押釦に押圧操作部が形成され、該押圧操作部によってスイッチを押圧して切換えるようになっており、押圧操作部に対してその横方向の両側に位置するように先端部に係止爪を有する弾性片が押釦に設けられ、しかも押釦の押圧に伴う移動動作の方向に延びる突条を両側の弾性片の外側部にそれぞれ設け、突条の下面を受けて案内する水平な案内部と、該案内部の延長上であってこの押釦装置が取付けられるキャビネットの凹部の奥の壁面に形成され突条が侵入する切込みとをこの押釦が取付けられる機器のキャビネットに設け、案内部が突条の上面を拘束することなく該突条を操作方向に対して鉛直下方向から支えるようにして摺動自在に受けるようにしたものである。
【００２４】
従ってこのような構成によれば、押釦の押圧に伴う移動動作の際に突条が案内部によって受けられた状態で移動動作を行なうことになり、このために押釦が不測の方向に傾くことが上記案内部によって防止されるようになる。従ってこのことから、押釦が傾くことが防止されるとともに、円滑な移動動作が達成され、操作フィーリングに優れた押釦装置が提供されることになる。
【図面の簡単な説明】
【図１】押釦装置を備える表示装置の外観斜視図である。
【図２】ベズルの要部正面図である。
【図３】同ベズルの要部底面図である。
【図４】同ベズルの要部背面図である。
【図５】図４におけるＡ〜Ａ線拡大断面図である。
【図６】図４におけるＢ〜Ｂ線拡大断面図である。
【図７】図５におけるＣ〜Ｃ線断面図である。
【図８】押釦の正面図である。
【図９】押釦の平面図である。
【図１０】押釦の側面図である。
【図１１】押釦の背面図である。
【図１２】図１０におけるＤ〜Ｄ線断面図である。
【図１３】図１２におけるＥ〜Ｅ線断面図である。
【図１４】押釦の外観斜視図である。
【図１５】後側から見た押釦の外観斜視図である。
【図１６】押釦を取付けた状態の図５と同様の断面図である。
【図１７】図１６におけるＦ〜Ｆ線断面図である。
【図１８】ベズルの押釦の取付け部を示す一部を破断した斜視図である。
【図１９】同押釦取付け部に押釦を取付けた状態の要部縦断面図である。
【図２０】図１９におけるＧ〜Ｇ線断面図である。
【図２１】従来の押釦装置を示す縦断面図である。
【図２２】押釦が斜めに傾いた状態を示す縦断面図である。
【図２３】押釦の押圧操作部と筒状案内部との関係を示す斜視図および正面図である。
【符号の説明】
１‥‥押釦、２‥‥押圧操作部、３‥‥筒状案内部、４‥‥ばね、５‥‥回路基板、６‥‥電源スイッチ、１０‥‥陰極線管、１１‥‥ベズル（フロントキャビネット）、１２‥‥リヤキャビネット、１３‥‥矩形の窓、１４‥‥スクリーン面、１５‥‥スタンド、２１‥‥円弧状膨出部、２２‥‥切欠き、２３‥‥筒状案内部、２４‥‥係止爪、２５‥‥案内部、２６‥‥切込み、３０‥‥回路基板、３１‥‥電源スイッチ、３５‥‥押釦、３６‥‥押圧操作部、３７‥‥弾性片、３８‥‥係止爪、３９‥‥突条、４０‥‥連絡用リブ、４５‥‥圧縮コイルばね
【図１】
0004367584.tif 000002
【図２】
0004367584.tif 000003
【図３】
0004367584.tif 000004
【図４】
0004367584.tif 000005
【図５】
0004367584.tif 000006
【図６】
0004367584.tif 000007
【図７】
0004367584.tif 000008
【図８】
0004367584.tif 000009
【図９】
0004367584.tif 000010
【図１０】
0004367584.tif 000011
【図１１】
0004367584.tif 000012
【図１２】
0004367584.tif 000013
【図１３】
0004367584.tif 000014
【図１４】
0004367584.tif 000015
【図１５】
0004367584.tif 000016
【図１６】
0004367584.tif 000017
【図１７】
0004367584.tif 000018
【図１８】
0004367584.tif 000019
【図１９】
0004367584.tif 000020
【図２０】
0004367584.tif 000021
【図２１】
0004367584.tif 000022
【図２２】
0004367584.tif 000023
【図２３】
0004367584.tif 000024